(57)【要約】【課題】  上方付勢に抗し押下げした位置で作動部材を容器体側へ係止させた、縦形ポンプ容器にバージン機構を施した。【解決手段】  容器体口頸部３の外面へ嵌合させた装着筒11下方の口頸部部分外面から、装着筒外径よりも先端円を大径とする複数の係合突部４を突出させておき、該係合突部を有する口頸部部分を含めてその上方の縦形ポンプ容器部分外面へ、上方筒部44下端から第１破断部43を介して、上記係合突部を嵌合させる複数の切欠き孔48付き下方筒部42を垂下するカバー筒41を嵌合させ、上方筒部44には破断用除去帯45を縦設した。【選択図】  図３
2006089110.tif 000002
【特許請求の範囲】
【請求項１】
容器体口頸部３へ嵌合させた装着筒11で容器体内へシリンダ21を垂下し、該シリンダ内から、上端にノズル36を有する作動部材31を上方付勢させて起立し、該付勢に抗し押下げられた位置で作動部材31上部を容器体側へ着脱自在に嵌合させた縦形ポンプ容器において、
上記装着筒嵌合部分直下の口頸部下方部分外面から、装着筒11外径よりも先端円を大径とした１つあるいは複数の係合突部４を突出させておき、
又、装着筒11および装着筒上方のポンプ容器部分外面へ嵌合させた上方筒部44下端から、第１破断部43を介して上記係合突部４付き口頸部下方部分外面を覆う下方筒部42を垂下する合成樹脂製のカバー筒41を設け、
上記上方筒部44に破断用除去帯45を縦設し、又下方筒部42には上記各係合突部が嵌合する複数の切欠き孔48を穿設した
ことを特徴とする縦形ポンプ容器体。
【請求項２】
上記ノズル36を作動部材31上端の押下げヘッド33前面から長く前方へ突出させると共に、該ノズル挿通用の縦長窓47を上方筒部44に穿設した
ことを特徴とする、請求項１記載の縦形ポンプ容器。
【請求項３】
上記係合突部４を有する口頸部部分を大径筒部3aとして該大径筒部上壁の外周部上面へ上方筒部44の下端面を載置させると共に、肩部内周部上面へ、大径筒部3a外面へ嵌合させた下方筒部42の下端面を載置させた
ことを特徴とする、請求項１又は２記載の縦形ポンプ容器。
【請求項４】
上記上方筒部44は薄肉筒で、かつ下方筒部42は厚肉筒で、それぞれ形成した
ことを特徴とする、請求項１、２又は３記載の縦形ポンプ容器。
【発明の詳細な説明】
【技術分野】
【０００１】
本発明はバージン機構付きの縦形ポンプ容器に関する。
【背景技術】
【０００２】
縦形ポンプは通常、容器体口頸部へ螺合させた装着筒で容器体内へシリンダを垂下し、該シリンダ内から上方付勢させて、上端にノズルを有する作動部材を起立させ、該作動部材の上下動で容器体内液体をシリンダ内へ吸上げ、かつ該シリンダ内液体をノズルから噴出可能に形成しており、このような縦形ポンプ容器に所謂バージン機能を持たせた発明が知られている（特許文献１）。
【特許文献１】特開平１０−１６７３０７号公報
【発明の開示】
【発明が解決しようとする課題】
【０００３】
上記従来例は、作動部材上端部が有するノズル付きの押下げヘッド周壁から破断により除去する筒を垂下させて、該筒を除去しなければ作動部材の押下げが、従って該作動部材上下動による液体噴出が不能としているが、シリンダ上方へ作動部材が起立したままではポンプの全体高さが高くなって出荷時の包装等が嵩ばることを避けるために、その出荷等にあっては作動部材をシリンダ内へ押下げ、作動部材上部を容器体側へ係止させることが行われており、このような作動部材下降状態保持式の縦形ポンプには上記従来例を適用することが出来ない。
【０００４】
本発明は、上記のような作動部材下降状態保持式の縦形ポンプ容器にバージン機構を付設したものである。
【課題を解決するための手段】
【０００５】
第１の手段として容器体口頸部３へ嵌合させた装着筒11で容器体内へシリンダ21を垂下し、該シリンダ内から、上端にノズル36を有する作動部材31を上方付勢させて起立し、該付勢に抗し押下げられた位置で作動部材31上部を容器体側へ着脱自在に嵌合させた縦形ポンプ容器において、
上記装着筒嵌合部分直下の口頸部下方部分外面から、装着筒11外径よりも先端円を大径とした１つあるいは複数の係合突部４を突出させておき、
又、装着筒11および装着筒上方のポンプ容器部分外面へ嵌合させた上方筒部44下端から、第１破断部43を介して上記係合突部４付き口頸部下方部分外面を覆う下方筒部42を垂下する合成樹脂製のカバー筒41を設け、
上記上方筒部44に破断用除去帯45を縦設し、又下方筒部42には上記各係合突部が嵌合する複数の切欠き孔48を穿設した。
【０００６】
第２の手段として、上記第１の手段を有すると共に上記ノズル36を作動部材31上端の押下げヘッド33前面から長く前方へ突出させると共に、該ノズル挿通用の縦長窓47を上方筒部44に穿設した。
【０００７】
第３の手段として、上記第１又は第２の手段を有し、かつ上記係合突部４を有する口頸部部分を大径筒部3aとして該大径筒部上壁の外周部上面へ上方筒部44の下端面を載置させると共に、肩部内周部上面へ、大径筒部3a外面へ嵌合させた下方筒部42の下端面を載置させた。
【０００８】
第４の手段として、上記第１、第２又は第３の手段を有すると共に上記上方筒部44は薄肉筒で、かつ下方筒部42は厚肉筒で、それぞれ形成した。
【発明の効果】
【０００９】
請求項１記載のように形成することで、カバー筒41を破断し、除去しない限り、作動部材上部を容器体上端部側から解放して上方起立させること出来ず、よってバージン機能を確実とできる。
【００１０】
請求項２記載のように形成することで、ノズル36が押下げヘッド33の前面から前方へ突出したポンプ容器において、ノズル36がカバー筒に穿設された縦長窓47に挿通されている為、カバー筒41を破断し除去しない限り、作動部材上部を容器体上端部側から螺昇させることが出来ず、よってバージン機能をより確実とできる。
【００１１】
請求項３のようにすることで、縦形ポンプ容器上部へ嵌合させたカバー筒41がその嵌合状態でガタ付くことがなく、安定した嵌合状態を得ることが出来る。
【００１２】
請求項４のようにすることで、係合突部４を有する口頸部部分外面へのカバー筒の下方筒部42の嵌合が容易となり、又第１破断部43および破断用除去帯45の破断が容易となる。
【発明を実施するための最良の形態】
【００１３】
以下図面について説明すると、１は容器体で、その胴部上端から肩部２を介して、下部を大径筒部3aとし、該大径筒部上端から上向き段部を介して小径筒部を起立する口頸部３を起立し、その小径筒部を雄ねじ筒としており、上記大径筒部3aの上部外面からは複数の係合突部４をほぼ等間隔に外方突出させている。それ等係合突部上面は基端から下外方へテーパ状に弯曲させている。
【００１４】
上記小径筒部外面へは装着筒11を螺合させており、該装着筒は上端に内向きフランジ12を付設している。
【００１５】
21はシリンダで、その上端に付設した外向きフランジ22を、パッキングを介して容器体口頸部の上端面上へ載置させ、それ等外向きフランジおよびパッキングを、上記装着筒の内向きフランジ12で口頸部上端面との間で挟持させて、そのシリンダを容器体内へ垂設させており、シリンダ下端からは吸上げパイプ23を垂下している。
【００１６】
31は上記シリンダ内から上方付勢されて起立する作動部材であり、図示例ではステム32上端へ嵌合させた押下げヘッド33から垂下するステム嵌合筒34外面を、シリンダの上端部内面へ嵌着させたステム挿通筒35内面へ螺合させて、その作動部材31を上方付勢に抗して押下げた位置で螺合させている。尚上記ステム挿通筒35は、シリンダの上端部内面へ嵌合させた長雌ねじ筒35a 上部から外向きフランジ状の頂板35b を外方突出し、該頂板の外端部から外筒を、又頂壁中間部から嵌合筒を、それぞれ垂下させて、該嵌合筒をシリンダ上端の外向きフランジ内周部上面から起立させた筒部21a 外面へ嵌着させている。該作動部材31は、ステム32下端部に筒状ピストンを有し、又ステム上端部に上記押下げヘッド33を嵌着させ、該押下げヘッド前面からは長く設けたノズル36を前方突出している。
【００１７】
尚上記ステム挿通筒35と押下げヘッド上部との螺合に代えてステム挿通筒35の外筒上部外面へ、押下げヘッドの頂壁外周から垂下した外周壁33a を螺合等して、押下げヘッド、従って作動部材31を容器体側へ押下げて、ポンプを低くした状態を保持させることが出来る。
【００１８】
41は適宜弾性を有する合成樹脂製のカバー筒で、図示例では肉厚かつ大径とした下方筒部42上端から多数の破断連結子で形成した第１破断部43を介して上方筒部44を起立し、該上方筒部44には破断用除去帯45を、該除去帯両側にミシン目状の第２破断部46を穿設することで縦設している。又図示例ではノズル挿通用の縦長窓47を上方筒部44の上部から下端まで縦設している。又下方筒部42の上部には上面開放の記述係合突部４嵌合用の複数切欠き孔48を穿設している。上方筒部44下端面は大径筒部3aの上壁外周部上へ載置させている。
上記のような構造とすることにより、カバー筒を成形する金型構造が簡単になり、生産性を高めることができる。
【００１９】
上記カバー筒41は、図２が示すように縦形ポンプ容器上方から、縦長窓47にノズル36を挿通させて下方筒部42を容器体口頸部の下部外面へ、又上方筒部44を装着筒11、ステム挿通筒35、押下げヘッド33外面へ嵌合させる。下方筒部42の切欠き孔48内へは口頸部下部外面から突出する係合突部４を嵌合させるが、該嵌合は各係合突部上面へ下方筒部42下端面を載置させて強制押下げし、弾性変形により嵌合させればよい。
【００２０】
カバー筒41嵌合状態で、カバー筒上面は押下げヘッド頂壁上面とほぼ等しく、あるいは押下げヘッド頂壁を低くするとよく、又ノズルを埋込み状態に形成した場合はカバー筒嵌合状態で押下げヘッドと容器側との係合を外すことは不可能であるよう、押下げヘッド33の外周壁33a と上方筒部44との間の間隙は狭少とする。但し図示例のようにカバー筒上方筒部に穿設した縦長窓47内へノズル36を通して外方突出させた場合は、上記係合取外しは不能であり、間隙の広狭は問題とならない。
【００２１】
図１、図３の状態からのカバー筒41の取外しは、図３のように破断用除去帯45上端部を摘み、剥ぎ取った後、その除去跡の側部下方を側下方へ引く等して上方筒部44を除去し該状態で作動部材を下限位置に保持する係合を外して上方へ起立させ、該状態から作動部材を押下げ、又上昇させることでノズル36から液体噴出を行えばよい。
【００２２】
既述実施形態では口頸部３の下部を大径筒部3aとしてその上壁外周上面へ上方筒部44の下端面を載置させたが、その大径筒部3aを装着筒11の外径と同外径としてもよく、又口頸部の下部を上部と同径としてもよい。これ等の場合は上方筒部44と下方筒部42との各内径を同径とすることとなる。また、第１破断部は、全周を薄肉で形成した弱化線としてもよく、その形状等は記述実施形態に限定されない。
【図面の簡単な説明】
【００２３】
【図１】本発明容器の断面図である。
【図２】図１容器の分解斜視図である。
【図３】図１容器の破断用除去帯上端部を外方へ弯曲させた状態で示す斜視図である。
【符号の説明】
【００２４】
３  口頸部                          3a  大径筒部
４  係合突部                        11  装着筒
21  シリンダ                        31  作動部材
32  ステム                          33  押下げヘッド
35  ステム挿通筒                    36  ノズル
41  カバー筒                        42  下方筒部
43  第１破断部                      44  上方筒部
45  除去帯                          46  第２破断部
47  縦長窓                          48  切欠き孔
【図１】
2006089110.tif 000003
【図２】
2006089110.tif 000004
【図３】
2006089110.tif 000005